(57)【要約】    【課題】  上限検知センサーが作動しても継続して所定枚数分の印画を可能とする。    【解決手段】  装置本体９内にて印画ヘッド１部に供給される記録媒体１０に印画信号に基づいて前記印画ヘッド１で印画し、印画済記録媒体１５を排出トレイ３に排出する画像形成装置であって、前記排出トレイ３にスタックされる前記印画済記録媒体１５の最大スタック枚数よりも所定の余裕枚数分少なく設定されたスタック枚数を検知し、上限検知信号を出力する上限検知センサー４と、該上限検知センサー４の上限検知信号を入力し、それをトリガとして前記余裕枚数分の印画をカウントし、該カウント数が前記余裕枚数となると次の印画を不許可とする制御手段８と、を備える。【選択図】      図２
2006273545.tif 000002
【特許請求の範囲】
【請求項１】
装置本体内にて印画ヘッド部に供給される記録媒体に印画信号に基づいて前記印画ヘッドで印画し、該印画済の記録媒体を排出トレイに排出する画像形成装置であって、
前記排出トレイにスタックされる前記印画済記録媒体の最大スタック枚数よりも所定の余裕枚数分少なく設定されたスタック枚数を検知し、上限検知信号を出力する上限検知センサーと、
該上限検知センサーの上限検知信号を入力し、それをトリガとして前記余裕枚数分の印画をカウントし、該カウント数が前記余裕枚数となると次の印画を不許可とする制御手段と、
を備えたことを特徴とする画像形成装置。
【請求項２】
前記装置本体には、その縦置き又は横置き状態を検知し、該縦置き又は横置き状態に応じて前記制御手段に前記余裕枚数の設定値を変更させるための信号を出力する縦置／横置センサーを備えたことを特徴とする請求項１記載の画像形成装置。
【請求項３】
前記印画ヘッドには、その温度を検知し、該検知された温度に応じて前記制御手段に前記余裕枚数の設定値を変更させるための信号を出力する温度センサーを備えたことを特徴とする請求項１又は２記載の画像形成装置。
【請求項４】
前記装置本体には、外気の湿度を検知し、該検知された湿度に応じて前記制御手段に前記余裕枚数の設定値を変更させるための信号を出力する湿度センサーを備えたことを特徴とする請求項１〜３のいずれか１項に記載の画像形成装置。
【請求項５】
装置本体内にて印画ヘッド部に供給される記録媒体に印画信号に基づいて前記印画ヘッドで印画し、該印画済の記録媒体を排出トレイに排出する画像形成装置であって、
前記排出トレイにスタックされる前記印画済記録媒体の最大スタック枚数よりも所定の余裕枚数分少なく設定されたスタック枚数を検知し、上限検知信号を出力する上限検知センサーと、
該上限検知センサーの上限検知信号を入力し、それをトリガとして前記余裕枚数分の印画をカウントすると共に、前記上限検知センサーの上限検知状態を監視し、該上限検知センサーによる上限検知状態が継続して前記カウント数が前記余裕枚数となると次の印画を不許可とし、前記カウント数が前記余裕枚数となる前に前記上限検知センサーの上限検知状態が解除されると次の印画を許可する制御手段と、
を備えたことを特徴とする画像形成装置。
【発明の詳細な説明】
【技術分野】
【０００１】
本発明は、印画ヘッド部に供給される記録媒体に印画信号に基づいて印画して排出する画像形成装置に関し、詳しくは、上限検知センサーで排出トレイの最大スタック枚数よりも所定の余裕枚数分少なく設定されたスタック枚数を検知するようにし、上限検知センサーが作動しても継続して所定枚数分の印画を可能とする画像形成装置に係るものである。
【背景技術】
【０００２】
従来の画像形成装置は、印画信号に基づいて記録媒体に印画を行う印画ヘッドと、該印画ヘッドによって印画されて排出される印画済記録媒体をスタックする排出トレイと、該排出トレイにスタック可能な上記印画済記録媒体の最大スタック枚数を検知し、上限検知信号を出力する上限検知センサーと、該上限検知センサーの上限検知信号を入力して上記印画ヘッドによる印画を停止する制御手段と、を備えている（例えば、特許文献１参照）。この場合、従来の画像形成装置による印画動作は、図５に示すように、一般に印画信号を入力すると印画が開始され（ステップＳ１）、印画された記録媒体が排出されて排出トレイにスタックされ、上限検知センサーが作動（ＯＮ）すると（ステップＳ２）、排出トレイが満杯であることを示すフルスタック信号を出力し（ステップＳ３）、印画を停止させたり警告する（ステップＳ４）ようになっている。
【０００３】
また、他の画像形成装置は、ヘッド温度や湿度を検知することで記録媒体のカール量を測定し、このカール量に応じて排出ガイドの傾きを調整し、上記カール量を矯正するようになっている（例えば、特許文献２参照）。
【特許文献１】特開平９−２５５２１３号公報
【特許文献２】特開２００２−１９３５２５号公報
【発明の開示】
【発明が解決しようとする課題】
【０００４】
しかし、このような従来の画像形成装置において、特許文献１に記載されたものは、上限検知センサーが作動すると直ちにフルスタック信号を出力するものであったため、例えば装置が縦置きのものであり、排出される印画済記録媒体が縦置きの排出トレイにスタックされるものである場合、スタックされた印画済記録媒体がばらばらになってしまい、一方側に寄せられた状態で整然と並ばないため排出トレイが満杯でないのに上限検知センサーが作動し、満杯であると誤検知して印画動作を停止させることがあった。
【０００５】
また、例えばフィルムや写真の印画紙のように剛性を有する記録媒体に対してサーマルヘッド等の印画ヘッドにより熱エネルギーを付与して発色させる場合には、印画済記録媒体がカールすることがある。しかし、このような場合、横置き型の画像形成装置においては、熱エネルギーの付与でカールした印画済記録媒体は冷えると自重で元に戻り、排出トレイに印画済記録媒体をスタックできる余裕空間が生じることがある。それにも関わらず、カールした印画済記録媒体により一度上限検知センサーが作動すると排出トレイが満杯であると誤検知して印画動作を停止させることがあった。
【０００６】
また、特許文献２に記載されたものは、印画済記録媒体のカール量を矯正しようとするものであり、上限検知センサーが作動しても継続して所定枚数分の印画を可能とするものではない。
【０００７】
そこで、本発明は、このような問題点に対処し、上限検知センサーが作動しても継続して所定枚数分の印画を可能とする画像形成装置を提供することを目的とする。
【課題を解決するための手段】
【０００８】
上記目的を達成するために、第１の発明による画像形成装置は、装置本体内にて印画ヘッド部に供給される記録媒体に印画信号に基づいて前記印画ヘッドで印画し、該印画済の記録媒体を排出トレイに排出する画像形成装置であって、前記排出トレイにスタックされる前記印画済記録媒体の最大スタック枚数よりも所定の余裕枚数分少なく設定されたスタック枚数を検知し、上限検知信号を出力する上限検知センサーと、該上限検知センサーの上限検知信号を入力し、それをトリガとして前記余裕枚数分の印画をカウントし、該カウント数が前記余裕枚数となると次の印画を不許可とする制御手段と、を備えたものである。
【０００９】
このような構成により、装置本体内にて印画ヘッド部に供給される記録媒体に印画信号に基づいて印画ヘッドで印画されて排出される印画済の記録媒体を排出トレイにスタックし、上限検知センサーで排出トレイにスタックされる上記印画済記録媒体の最大スタック枚数よりも所定の余裕枚数分少なく設定されたスタック枚数を検知して上限検知信号を出力し、制御手段で上限検知センサーの上限検知信号を入力し、それをトリガとして上記余裕枚数分の印画をカウントし、該カウント数が上記余裕枚数となると次の印画を不許可とする。
【００１０】
また、第２の発明による画像形成装置は、装置本体内にて印画ヘッド部に供給される記録媒体に印画信号に基づいて前記印画ヘッドで印画し、該印画済の記録媒体を排出トレイに排出する画像形成装置であって、前記排出トレイにスタックされる前記印画済記録媒体の最大スタック枚数よりも所定の余裕枚数分少なく設定されたスタック枚数を検知し、上限検知信号を出力する上限検知センサーと、該上限検知センサーの上限検知信号を入力し、それをトリガとして前記余裕枚数分の印画をカウントすると共に、前記上限検知センサーの上限検知状態を監視し、該上限検知センサーによる上限検知状態が継続して前記カウント数が前記余裕枚数となると次の印画を不許可とし、前記カウント数が前記余裕枚数となる前に前記上限検知センサーの上限検知状態が解除されると次の印画を許可する制御手段と、を備えたものである。
【００１１】
このような構成により、装置本体内にて印画ヘッド部に供給される記録媒体に印画信号に基づいて印画ヘッドで印画されて排出される印画済の記録媒体を排出トレイにスタックし、上限検知センサーで排出トレイにスタック可能な上記印画済記録媒体の最大スタック枚数よりも所定の余裕枚数分少なく設定されたスタック枚数を検知して上限検知信号を出力し、制御手段で上限検知センサーの上限検知信号を入力し、それをトリガとして上記余裕枚数分の印画をカウントすると共に、上記上限検知センサーの上限検知状態を監視し、該上限検知センサーによる上限検知状態が継続して上記カウント数が上記余裕枚数となると次の印画を不許可とし、上記カウント数が上記余裕枚数となる前に上限検知センサーの上限検知状態が解除されると次の印画を許可する。
【発明の効果】
【００１２】
請求項１に係る発明によれば、上限検知センサーから、排出トレイにスタックされる印画済記録媒体の最大スタック枚数よりも所定の余裕枚数分少なく設定されたスタック枚数を検知したことを示す上限検知信号を入力し、それをトリガとして上記余裕枚数分の印画をカウントし、該カウント数が上記余裕枚数となると次の印画を不許可とするものとしたことにより、上記上限検知センサーが作動しても、印画動作を停止することなく継続して所定枚数分の印画をすることができる。これにより、従来のように上限検知センサーが作動すれば直ぐに印画が停止されるため、その都度スタックされた印画済記録媒体を取り除かなければならないと言った煩わしさを減らすことができる。
【００１３】
また、請求項２に係る発明によれば、装置本体の縦置き又は横置き状態を検知し、該縦置き又は横置き状態に応じて余裕枚数の設定値を変更させるものとしたことにより、スタックされた印画済記録媒体がばらばらになるため上限検知センサーの誤検知が多く発生しやすい縦置きの場合には、上記余裕枚数を多く設定して印画の停止を遅らせることができる。したがって、上限検知センサーが作動しても多くの枚数の印画を行うことができる。また、印画済記録媒体が冷えてそのカールが自重で均されやすいため上限検知センサーの誤検知の発生が少ない横置きの場合には、上記余裕枚数を少なく設定してスタック枚数の上限検知を遅らせることができる。
【００１４】
さらに、請求項３に係る発明によれば、印画ヘッドの温度を検知し、該検知された温度に応じて余裕枚数の設定値を変更させるものとしたことにより、印画ヘッドの温度に応じて印画済記録媒体のカールの大きさを推定して上記余裕枚数の設定値を補正することができる。
【００１５】
さらにまた、請求項４に係る発明によれば、外気の湿度を検知し、該検知された湿度に応じて余裕枚数の設定値を変更させるものとしたことにより、湿度に応じて印画済記録媒体のカールの大きさを推定して上記余裕枚数の設定値を補正することができる。
【００１６】
そして、請求項５に係る発明によれば、上限検知センサーから、排出トレイにスタックされる印画済記録媒体の最大スタック枚数よりも所定の余裕枚数分少なく設定されたスタック枚数を検知したことを示す上限検知信号を入力し、それをトリガとして上記余裕枚数分の印画をカウントすると共に、上限検知センサーの上限検知状態を監視し、カウント数が余裕枚数となる前に上限検知センサーの上限検知状態が解除されると次の印画を許可するものとしたことにより、上限検知センサーが作動してスタック枚数の上限が検知されても、上記カウント数が上記余裕枚数となる前に上限検知センサーの上限検知状態が解除されると上記上限検知センサーの上限検知は誤検知であったと判断することができる。したがって、上限検知センサーの誤検知による印画停止を抑制することができる。
【発明を実施するための最良の形態】
【００１７】
以下、本発明の実施形態を添付図面に基づいて詳細に説明する。図１は本発明による画像形成装置の実施形態を示す斜視図であり、図２は図１のＡ矢視による説明図である。この画像形成装置は、供給される記録媒体に印画信号に基づいて印画して排出するもので、印画ヘッド１と、給紙トレイ２と、排出トレイ３と、上限検知センサー４と、縦置／横置センサー５と、温度センサー６と、湿度センサー７と、制御手段８とからなる。
【００１８】
上記印画ヘッド１は、印画信号に基づいて記録媒体１０に印画を行うものである。この印画ヘッド１は、図２に示すように、装置本体９内に複数の搬送ローラ１１を配列して形成され、記録媒体１０を一枚ずつ搬送する搬送路１２の途中に設けられており、例えば複数の発熱抵抗素子を配列して備えるサーマルヘッドである。そして、この印画ヘッド１は、上記搬送路１２を間にして対向して配設されたプラテンローラ１３に例えばフィルム状の感熱シートからなる記録媒体１０を圧接し、上記発熱抵抗素子の熱エネルギーを上記記録媒体１０に付与して印画するようになっている。
【００１９】
図１に示すように、装置本体９の底面部には、給紙トレイ２が設けられている。この給紙トレイ２は、記録媒体１０を複数枚重ね合わせた状態で収容するものであり、装置本体９の前面下部に設けられたトレイ挿入口１４から装置本体９に対して着脱自在にされている。
【００２０】
図２に示すように、上記給紙トレイ２の上部には、排出トレイ３が設けられている。この排出トレイ３は、上記印画ヘッド１によって印画されて排出される印画済記録媒体１５をスタックするものであり、上記給紙トレイ２の上蓋１６の上面を底面とし、該上蓋１６の上面と上記トレイ挿入口１４の天井面とに挟まれた空間を利用して形成されている。
【００２１】
上記排出トレイ３内にて上記トレイ挿入口１４の天井面には、上限検知センサー４が設けられている。この上限検知センサー４は、上記排出トレイ３にスタックされる上記印画済記録媒体１５の最大スタック枚数よりも所定の余裕枚数分少なく設定されたスタック枚数を検知し、上限検知信号を出力するものであり、図２に示すように、検出レバー１７を排出トレイ３内の排出方向後方に向かって斜めに延ばして備えた例えばマイクロスイッチである。
【００２２】
上記装置本体９内には、縦置／横置センサー５が設けられている。この縦置／横置センサー５は、装置の縦置き又は横置き状態を検知するものであり、例えば公知の重力センサーを適用することができる。
【００２３】
上記印画ヘッド１の表面には、温度センサー６が設けられている。この温度センサー６は、印画ヘッド１の温度を検知するものであり、温度に応じて変化する印画済記録媒体１５のカール量の推定を可能としている。
【００２４】
上記装置本体９にて外気を装置本体９内に導入して内部を冷却する冷却ファン１８の近傍部には、湿度センサー７が設けられている。この湿度センサー７は、外気の湿度を検知するものであり、湿度に応じて変化する印画済記録媒体１５のカール量の推定を可能としている。
【００２５】
上記装置本体９内には、制御手段８が設けられている。この制御手段８は、装置全体を適切に制御すると共に、図３に示すように上記上限検知センサー４を接続して該上限検知センサー４の上限検知信号を入力し、それをトリガとして上記余裕枚数分の印画をカウントすると共に、上記上限検知センサー４の上限検知状態を監視し、該上限検知センサー４による上限検知状態が継続して上記カウント数が上記余裕枚数となると排出トレイ３が満杯であることを示すフルスタック信号を出力して次の印画を不許可とし、上記カウント数が上記余裕枚数となる前に上限検知センサー４の上限検知状態が解除されると上記カウント数をリセットして次の印画を許可するようになっている。
【００２６】
また、上記制御手段８は、縦置／横置センサー５を接続しており、該縦置／横置センサー５の出力により装置の縦置き又は横置き状態を判定し、該縦置き又は横置き状態に応じて上記余裕枚数の設定値を変更するようになっている。
【００２７】
さらに、上記制御手段８は、上記温度センサー６を接続しており、上記メモリ１９に予め作成して保存された温度と印画済記録媒体１５のカール量との関係を示すルックアップテーブル（以下、「ＬＵＴ」と記載する）と上記温度センサー６の出力とを照合して印画済記録媒体１５のカール量を推定し、該推定されたカール量に応じて上記余裕枚数の設定値を補正できるようになっている。
【００２８】
また、上記制御手段８は、湿度センサー７を接続しており、別に接続して備えるメモリ１９に予め作成して保存された湿度と印画済記録媒体１５のカール量との関係を示すＬＵＴと上記湿度センサー７の出力とを照合して印画済記録媒体１５のカール量を推定し、該推定されたカール量に応じて上記余裕枚数の設定値を補正できるようになっている。
【００２９】
さらに、上記制御手段８は、駆動手段２０及び印画ヘッド１を接続しており、駆動手段２０を制御して搬送ローラ１１を駆動し、記録媒体１０を所定の速度で搬送すると共に、印画ヘッド１を駆動して印画信号に基づいて発熱抵抗素子を加熱させて印画動作を行わせるようになっている。
【００３０】
なお、上記制御手段８は、別に接続して備えるＲＯＭ２１又は図示省略のＲＡＭに記録されたプログラムに基づいて上記各種制御を実行するようになっている。
【００３１】
次に、このように構成された画像形成装置の動作について、図４のフローチャートを参照して説明する。
先ず、ステップＳ１１において、制御手段８は、印画信号を入力すると駆動手段２０を駆動して給紙トレイ２から記録媒体１０を一枚ずつ搬送路１２に供給させる。供給された記録媒体１０は、駆動手段２０によって駆動される搬送ローラ１１で搬送路１２上を図２に示す矢印Ｂ方向に印画ヘッド１まで搬送される。記録媒体１０が印画ヘッド１まで搬送されると、印画ヘッド１はプラテンローラ１３側に移動して記録媒体１０をプラテンローラ１３に押し当てる。そして、印画ヘッド１は、印画信号に応じて発熱抵抗素子を発熱してその熱エネルギーを記録媒体１０に付与し、記録媒体１０を発色させる。こうして印画された印画済記録媒体１５は、搬送ローラ１１で図２に示す矢印Ｃ方向に搬送されて排出トレイ３に排出される。
【００３２】
ステップＳ１２おいては、上記印画動作が繰り返し実行されて排出トレイ３に印画済記録媒体１５がスタックされ、排出トレイにスタックされる印画済記録媒体１５の最大スタック枚数よりも所定の余裕枚数分少なく設定されたスタック枚数に達すると上限検知センサー４がＯＮする。
【００３３】
ステップＳ１３においては、制御手段８は、上限検知センサー４の上限検知状態（以下、「ＯＮ状態」と記載する）が続いているか否かを判定する。ここで、上限検知センサー４のＯＮ状態が解除されずに続いている場合には、“ＹＥＳ”判定となってステップＳ１４に進む。
【００３４】
ステップＳ１４においては、制御手段８は、上限検知センサー４による上限検知後もなお印画を許可し、上記上限検知センサー４の上限検知信号の入力をトリガとして排出される印画済記録媒体１５の印画枚数をカウントする。そして、ステップＳ１５に進む。なお、ここで適用されるカウンタは、ソフトウェアにより制御手段８でカウントするものであるが、ハードウェアからなるカウンタを用いて印画枚数をカウントしてもよい。
【００３５】
ステップＳ１５においては、制御手段８で装置本体９が縦置きされているか否かを縦置／横置センサー５の出力に基づいて判定する。ここで、上記縦置／横置センサー５の出力が縦置きを示すものである場合には、縦置きと判定して“ＹＥＳ”となってステップＳ１６に進む。
【００３６】
ステップＳ１６においては、上記上限検知センサー４による上限検知後もなお印画が許可された縦置き時の余裕枚数の基準値α１をカウントリミットとして上記カウンタに設定する。そして、ステップＳ１８に進む。
【００３７】
一方、ステップＳ１５において、縦置／横置センサー５の出力に基づいて装置本体９が縦置きではなくて横置きであると制御手段８で判定すると、“ＮＯ”となってステップＳ１７に進む。
【００３８】
ステップＳ１７においては、上記上限検知センサー４による上限検知後もなお印画が許可された横置き時の余裕枚数の基準値α２をカウントリミットとして上記カウンタに設定する。そして、ステップＳ１８に進む。
【００３９】
ステップＳ１８においては、予め作成してメモリ１９に保存された温度と印画済記録媒体１５のカール量との関係を示すＬＵＴをメモリ１９から読み出し、これと上記印画ヘッド１の温度センサー６から入力する温度のデータと照合してその温度における印画済記録媒体１５のカール量を推定し、該推定されたカール量に応じて補正値βを設定し、上記余裕枚数の基準値α１又はα２を補正して(α１＋β)又は(α２＋β)として上記カウンタに設定する。そして、ステップＳ１９に進む。
【００４０】
ステップＳ１９においては、予め作成してメモリ１９に保存された湿度と記録媒体１０のカール量との関係を示すＬＵＴをメモリ１９から読み出し、これと湿度センサー７から入力する外気湿度のデータと照合してその湿度における印画済記録媒体１５のカール量を推定し、該推定されたカール量に応じて補正値γを設定する。そして、上記温度によって補正された余裕枚数(α１＋β)又は(α２＋β)をさらに上記湿度による補正地γで補正し、(α１＋β＋γ)又は(α２＋β＋γ)として上記カウンタに設定する。このようにして、上記カウンタには、上限検知センサー４の作動後も印画可能な余裕枚数が、装置本体９の縦置き又は横置きに応じて温度及び湿度で補正されて設定される。そして、ステップＳ２０に進む。
【００４１】
ステップＳ２０においては、印画済記録媒体１５のカウント数が上記カウンタに設定された上記補正後の余裕枚数（カウントリミット）となったか否かを判定する。ここで、上限検知センサー４のＯＮ状態が続き、その間に印画された印画済記録媒体１５のカウント数が上記補正後の余裕枚数に達すると排出トレイ３内にスタックされた印画済記録媒体１５が最大スタック枚数に達したものと判断してステップＳ２１に進み、制御手段８からフルスタック信号を出力して次の印画を不許可とする。これにより、利用者がスタックされた印画済記録媒体１５を取り除くまでは、印画が停止される。
【００４２】
一方、ステップＳ２０において、上記印画済記録媒体１５のカウント数が設定された上記補正後の余裕枚数（カウントリミット）に達していない場合には、 “ＮＯ”判定となってステップＳ２２に進む。そして、ステップＳ２２において次の印画を許可する。それ以降は、ステップＳ１３以下の動作が繰り返され、上限検知センサー４による上限検知後も印画動作が継続される。
【００４３】
また、ステップＳ１３において、例えば排出トレイ３にスタックされた印画済記録媒体１５の整列状態が変わったり、又は印画済記録媒体１５のカール量が減少して上限検知センサー４のＯＮ状態が解除されたときには、制御手段８は上限検知センサー４の上限検知信号による上限検知は誤検知であり、排出トレイ３内に印画済記録媒体１５をスタック可能な余裕空間がまだあると判断する。そして、この場合は“ＮＯ”判定となってステップＳ２３に進む。
【００４４】
ステップＳ２３においては、上記カウンタのカウント数をリセットして上限検知センサー４のＯＮ状態の監視を解く。そして、ステップＳ２２に進んで次の印画を許可する。これにより、印画動作は、停止されることなく新たな記録媒体１０に対して印画が実行される。
【００４５】
なお、以上の説明においては、装置本体９内に縦置／横置センサー５と温度センサー６と湿度センサー７とを設けて装置本体９の縦置き又は横置き状態及び印画ヘッド１の温度並びに外気の湿度に応じて上記余裕枚数の設定値を変更させるものとしたが、これらのセンサーを設けず常時一定の余裕枚数を設定してもよい。または、上記縦置／横置センサー５、温度センサー６、湿度センサー７のうちいずれか一つ又はいずれか二つを設けて、装置本体９の縦置き又は横置き状態及び印画ヘッド１の温度並びに外気の湿度を検出して上記余裕枚数の設定値を変更してもよい。
【００４６】
また、記録媒体１０がフィルムの場合について述べたが、これに限られず、記録媒体１０は写真の印画紙等の剛性の高い記録紙であってもよい。さらに、記録紙としては、剛性の高いものであれば、印画紙に限らず何であってもよい。
【図面の簡単な説明】
【００４７】
【図１】本発明による画像形成装置の実施形態を示す斜視図。
【図２】図１のＡ矢視による説明図である。
【図３】本発明による画像形成装置の電気回路の概略構成を示すブロック図である。
【図４】本発明による画像形成装置の作動を説明するフローチャートである。
【図５】従来の画像形成装置の作動を説明するフローチャートである。
【符号の説明】
【００４８】
１…印画ヘッド
３…排出トレイ
４…上限検知センサー
５…縦置／横置センサー
６…湿度センサー
７…温度センサー
８…制御手段
９…装置本体
１０…記録媒体
１５…印画済記録媒体
【図１】
2006273545.tif 000003
【図２】
2006273545.tif 000004
【図３】
2006273545.tif 000005
【図４】
2006273545.tif 000006
【図５】
2006273545.tif 000007